(57)【要約】      （修正有） 【課題】積み重ねられた複数のネスティングラックのうちの上段のネスティングラックが下段のネスティングラックに対して水平方向や上下方向に動いてしまうことを防ぐ位置合せピンを備えるネスティングラックを提供する。【解決手段】ネスティングラックの前側支柱２の天部に、上方へ向かって突出する位置合せピン１が設けられており、位置合せピン１は、四角柱の形状に形成された下側部分と、該下側部分の四角柱と整合する四角錐の形状に形成された上側部分とから構成されている。下段のネスティングラックの天部に設けられた位置合せピン１の下側部分の四角柱は、上段のネスティングラックの中空な四角柱の形状に形成された支柱の底部４の内周面４ａと嵌合する寸法に形成されており、位置合せピン１の下側部分と上段のネスティングラックの支柱の底部４とが密に嵌合することで、積み重ねられたネスティングラックの耐震性を高めることができる。【選択図】図３
0003200473.tif 000002
【実用新案登録請求の範囲】
【請求項１】
中空な四角柱の形状に形成された支柱を有する複数のネスティングラックを垂直方向に積み重ねるために上記支柱の端部どうしを繋ぐのに使用される位置合せピンを備えるネスティングラックであって、
該位置合せピンは、四角柱の形状に形成された下側部分と、該下側部分の四角柱と整合する四角錐の形状に形成された上側部分とから構成されており、
該位置合せピンの下側部分の四角柱が、上記中空な四角柱の形状に形成された支柱の内周面と嵌合する寸法に形成されていることを特徴とする位置合せピンを備えるネスティングラック。
【請求項２】
上記中空な四角柱の形状に形成された支柱の底部の内周側に、上記位置合せピンの上側部分の四角錐とフィットする形状に形成された受け部材が設けられていることを特徴とする請求項１に記載の位置合せピンを備えるネスティングラック。
【考案の詳細な説明】
【技術分野】
【０００１】
本考案は、位置合せピンを備えるネスティングラックに関し、詳しくは、積み重ねられた複数のネスティングラックが大きな地震等を受けた場合にも上段のネスティングラックが下段のネスティングラックに対して動いてしまうことを防ぐ耐震ピンとして機能し得る位置合せピンを備えるネスティングラックに関する。
【背景技術】
【０００２】
様々な品物を載置するためのネスティングラックは、高機能な棚として広く利用されている。例えば、倉庫内で複数のネスティングラックを積み重ねて使用する場合には、倉庫内の上方のスペースを有効に活用することができるし、使用されていない棚は入れ子式にネスティングして保管することができる。また、パレット機能を有するネスティングラックは、フォークリフトを使って簡単に移動させることができるという利点がある。
【０００３】
従来のネスティングラックにおいては、垂直方向に延在する支柱が中空な四角柱の形状に形成されていることが普通であり、支柱の天部に擬宝珠（ぎぼし）のように上方へ突出する半球形ないし弾丸形の形状の位置合せピンが設けられている。そのような複数のネスティングラックを上段と下段に積み重ねるときには、下段のネスティングラックの前側支柱の天部に設けられた位置合せピンが、上段のネスティングラックの前側支柱の底部の空洞に挿入される。しかし、従来の半球形ないし弾丸形の形状に形成された位置合せピンの側壁と、四角柱の形状に形成された前側支柱の底部の内周面とは、（正方形に円が内接するイメージで考えると）４つの接点でしか接触し得ないので、地震等に起因する大きな横揺れを受けた場合に、上段のネスティングラックの前側支柱が軸回転することにより後側支柱が水平方向に動いてしまうことがあった。また、従来のように４つの接点でしか接触していない場合は、水平方向の揺れだけでなく上下方向の揺れにも弱い。現に２０１１年３月１１日の東日本大震災の際には、従来の半球形ないし弾丸形の位置合せピンを介して積み上げられた複数のネスティングラックにおいては、上下方向にも大きな縦揺れを受けることにより、支柱から外れてしまう位置合せピンも少なくなかった。
【０００４】
従来の半球形ないし弾丸形の形状の位置合せピンであってもネスティングラックの左右の前側支柱と左右の後側支柱の各々の天部に４つあれば水平方向の動きを規制することができるが、４つの支柱に位置合せピンを設けるとフォークリフトを使ってのネスティングラックの位置合せの作業が非常に難しくなってしまう。
【先行技術文献】
【特許文献】
【０００５】
【特許文献１】実用新案登録第３１９４３５０号公報
【考案の概要】
【考案が解決しようとする課題】
【０００６】
ネスティングラックの従来の半球形ないし弾丸形の形状の位置合せピン２つと、従来の四角柱の形状の２本の前側支柱とが嵌合している場合、地震や道路工事等に起因する大きな横揺れを受けた際に、積み重ねられた上段と下段のネスティングラックのうちの上段のネスティングラックの前側支柱が軸回転することにより後側支柱が水平方向に摺動してしまうことがあった。そのような水平方向の摺動を規制し、積み重ねられたネスティングラックを安定させる位置合せピンがあることが望ましい。
【課題を解決するための手段】
【０００７】
本考案の一実施例においては、中空な四角柱の形状に形成された支柱を有する複数のネスティングラックを垂直方向に積み重ねるために上記支柱の端部どうしを繋ぐのに使用される位置合せピンを備えるネスティングラックであって、該位置合せピンは、四角柱の形状に形成された下側部分と、該下側部分の四角柱と整合する四角錐の形状に形成された上側部分とから構成されており、該位置合せピンの下側部分の四角柱が、上記中空な四角柱の形状に形成された支柱の内周面と嵌合する寸法に形成されていることを特徴とする位置合せピンを備えるネスティングラックを提供する。
【０００８】
本考案の他の実施例においては、上記中空な四角柱の形状に形成された支柱の底部の内周側に、上記位置合せピンの上側部分の四角錐とフィットする形状に形成された受け部材が設けられていることを特徴とする。
【考案の効果】
【０００９】
本考案における位置合せピンは、四角柱の下側部分と四角錐の上側部分とから構成されており、複数のネスティングラックが垂直方向に積み重ねられる際に、下段のネスティングラックの位置合せピンの下側部分の四角柱の外周面と、上段のネスティングラックの支柱の底部の内周面とが接触するように構成されている。
【００１０】
すなわち、本考案の位置合せピンを備えるネスティングラックによれば、下段のネスティングラックの支柱の天部に設けられた位置合せピンの下側部分の四角柱が、上段のネスティングラックの支柱の底部の内周面と嵌合するように構成されているので、地震や道路工事等に起因する大きな横揺れや横方向の振動を受けた場合にも、上段のネスティングラックが水平方向に動いてしまうことがない。
【図面の簡単な説明】
【００１１】
【図１】本考案の位置合せピンが設けられたネスティングラックの一部を拡大して示す斜視図。
【図２】本考案の位置合せピンが設けられたネスティングラックの一部を拡大して示す斜視図。
【図３】ネスティングラックの前側支柱の上端付近と他のネスティングラックの前側支柱の下端付近を示す断面図。
【図４】ネスティングラックの前側支柱の上端付近と他のネスティングラックの前側支柱の下端付近を示す断面図。
【図５】位置合せピンが設けられた１つのネスティングラックの全体像を示す図。
【図６】図５に示したネスティングラックが２段に積み重ねられた状態を示す図。
【考案を実施するための形態】
【００１２】
本考案の位置合せピンについて添付の図面を参照しつつ以下に詳細に説明する。
【００１３】
図１（ａ）は、本考案の位置合せピン１を備えるネスティングラックの一部を拡大して示す斜視図である。図１（ａ）はさらに、位置合せピン１の外周面１ａ、ネスティングラックの前側に位置する前側支柱２の天部に設けられた位置合せピン１、およびネスティングラックを構成する複数の梁部材３を示している。なお、他の実施例においては、ネスティングラックの左右の前側支柱の代わりに左右の後側支柱の天部に位置合せピン１が設けられる場合もあることに留意されたい。
【００１４】
図１（ｂ）は位置合せピン１の側面を示す図である。位置合せピン１は、四角柱の形状に形成された下側部分と、該四角柱と整合する四角錐の形状に形成された上側部分とから構成されている。様々な実施例において、フォークリフトを使ってネスティングラックの支柱どうしを繋ぎ易くするために、位置合せピン１の上側部分の四角錐は、図１（ｂ）に示されている四角錐よりも鋭い頂角を有するように形成される場合もあれば、鈍い頂角を有するように形成される場合もある。
【００１５】
図２（ａ）は、ネスティングラックを構成する前側支柱２を拡大して示す斜視図である。一実施例においては、ネスティングラックの脚部材５を備えている。
【００１６】
図２（ｂ）は、前側支柱２の下端付近を切り欠いて示す側面図であり、位置合せピン１を受ける前側支柱２の底部４と、前側支柱２の底部４の内周面４ａを示している。
【００１７】
図３（ａ）は、上段と下段に積み重ねられるネスティングラックのうちの下段のネスティングラックの前側支柱２の天部に設けられた位置合せピン１と、上段のネスティングラックの前側支柱の下端付近とを示している。図３（ｂ）は、下段のネスティングラックの前側支柱２の天部に設けられた位置合せピン１と、上段のネスティングラックの前側支柱２の底部４とが嵌合した状態を示している。
【００１８】
図３（ｂ）に示されるように、下段のネスティングラックの支柱の天部に設けられた位置合せピン１が上段のネスティングラックの支柱の底部４の内周側に挿入されると、位置合せピン１の下側部分の外周面１ａ（側壁）と支柱の底部４の内周面４ａとが接触する。すなわち、位置合せピン１の下側部分と、上段のネスティングラックの支柱の底部４の内周面とが密に嵌合することによって、地震や道路工事等に起因する大きな横揺れを受けたとしても、上段のネスティングラックが下段のネスティングラックに対して水平方向に摺動してしまうことがない。
【００１９】
本考案の更なる実施例においては、図４に示されているように、上段のネスティングラックの前側支柱の底部４の内周側に、下段のネスティングラックの前側支柱２の位置合せピン１の上側部分の四角錐とフィットする形状に形成された受け部材６が設けられていることにより、下段のネスティングラックの位置合せピン１と上段のネスティングラックの支柱とが更に密に嵌合することが可能となる。
【００２０】
図５は、一般に使用されているネスティングラックの全体像を示している。ネスティングラックは、概して、２本の前側支柱と２本の後側支柱を備えている。
【００２１】
図６は、垂直方向に積み重ねられた２つのネスティングラックを示している。本考案の位置合せピン（耐震ピン）及びこれと嵌合する支柱を備えるネスティングラックは耐震性に優れ、地震等に起因する大きな縦揺れや横揺れを受けた場合にも、積み重ねられた複数のネスティングラックのうちの上段のネスティングラックが下段のネスティングラックに対して動いてしまうことを防ぐことができる。
【符号の説明】
【００２２】
１…位置合せピン
１ａ…位置合せピンの外周面
２…前側支柱
３…梁部材
４…支柱の底部
４ａ…（支柱の）内周面
５…脚部材
６…受け部材
【図１】
0003200473.tif 000003
【図２】
0003200473.tif 000004
【図３】
0003200473.tif 000005
【図４】
0003200473.tif 000006
【図５】
0003200473.tif 000007
【図６】
0003200473.tif 000008